(57)【要約】【課題】カセットを装着した際に本体部との電気的接続を容易に確認できるカセット装着装置を提供する。【解決手段】紙幣収納カセット４を装着する紙幣収納部２に、紙幣収納カセット４の装着に伴って回転するローラ５、６、７を設け、ローラ５、６、７の回転で発電用モータを回転させる。発電用モータを接続する回路には充電用コンデンサを設け、紙幣収納カセット４が紙幣収納部２と正常に電気的に接続されると、充電用コンデンサにより紙幣収納カセット４側に設けた発光ダイオード１２を点灯させる。【選択図】  図１
2009258929.tif 000002
【特許請求の範囲】
【請求項１】
本体部に対して着脱可能なカセットを有し、前記カセットが装着されることにより接続部を介して電気的に接続するカセット装着装置において、
前記本体部または前記カセットに回転可能に設けられ、前記カセットの装着動作に伴って回転する回転ローラと、
前記回転ローラの回転により発電する発電部と、
前記発電部による発電を充電する充電部と、
前記回転ローラが設けられていない前記カセットまたは前記本体部に設けられた通知手段とを設け、
前記カセットの装着時に、前記充電部による充電により前記接続部を介して前記通知手段を作動させることを特徴とするカセット装着装置。
【請求項２】
前記カセットは前記本体部に対して垂直方向に装着される請求項１記載のカセット装着装置。
【請求項３】
前記本体部は紙幣処理装置に装着される紙幣収納部であり、前記カセットは紙幣が収納される紙幣収納カセットである請求項１または２記載のカセット装着装置。
【請求項４】
前記通知手段は、通電により発光する発光体により構成される請求項１、２または３記載のカセット装着装置。
【発明の詳細な説明】
【技術分野】
【０００１】
本発明は、紙幣収納カセットを着脱可能に装着する紙幣収納部を有する紙幣処理装置等のカセット装着装置に関する。
【背景技術】
【０００２】
従来、例えば、紙幣処理装置においては、紙幣を収納する紙幣収納カセットが装着される紙幣収納部を有し、紙幣を補充または回収可能なように、紙幣収納カセットを紙幣収納部に対して着脱可能にしている。例えば、紙幣収納カセットを取り外す場合は、紙幣処理装置に対して紙幣収納部をスライドして紙幣収納カセットを露出させ、その後紙幣収納カセットを紙幣収納部から取り外す。紙幣収納カセットを装着する場合は上記の逆の手順を採る。
【０００３】
紙幣収納カセットには例えば紙幣を検知するためのセンサが取り付けられており、紙幣収納カセットと紙幣収納部との間で電気的な接続が必要である。そのために紙幣収納カセットと紙幣収納部は、着脱可能なジャックインコネクタにより電気的に接続されている。このような紙幣収納カセットと装置本体との電気的接続を開示するものとして、例えば特許文献１（実公平７−２９５９０号公報）が挙げられる。
【０００４】
上記特許文献１に開示される技術は、接点の摺動による磨耗を防止するために、接点を開閉可能とし、扉の開閉動作に連動して接点を開閉させるようにしたものである。
【特許文献１】実公平７−２９５９０号公報
【発明の開示】
【発明が解決しようとする課題】
【０００５】
しかしながら従来の紙幣処理装置においては、紙幣収納カセットが装着された際に紙幣収納部との間で正常な電気的な接続がなされているか否かは、紙幣収納部を装置本体に装着した後、動作確認（イニシャル動作）を実施し、正常終了したかどうかにより判断するようにしている。動作確認の結果、正常終了しない場合は、紙幣収納部を引き出し、さらに紙幣収納カセットを取り外して再装着し、再び動作確認を行なう。さらに動作確認結果が正常でない場合は、上記の動作を何度か繰り返すことになる。
【０００６】
そのため、紙幣収納カセットと紙幣収納部との電気的接続を確認するのは煩雑な作業を伴っていた。紙幣収納カセットを装着するタイミングで電気的接続を確認する方法は、回路的には可能であるが、紙幣収納部が引き出されている状態では電源の供給がないので不可能である。
【０００７】
そこで本発明は、カセットを装着した際に本体部との電気的接続を容易に確認できるカセット装着装置を提供することを目的とする。
【課題を解決するための手段】
【０００８】
上記課題を解決するために本発明は、本体部に対して着脱可能なカセットを有し、前記カセットが装着されることにより接続部を介して電気的に接続するカセット装着装置において、前記本体部または前記カセットに回転可能に設けられ、前記カセットの装着動作に伴って回転する回転ローラと、前記回転ローラの回転により発電する発電部と、前記発電部による発電を充電する充電部と、前記回転ローラが設けられていない前記カセットまたは前記本体部に設けられた通知手段とを設け、前記カセットの装着時に、前記充電部による充電により前記接続部を介して前記通知手段を作動させることを特徴とするものである。
【発明の効果】
【０００９】
本発明のカセット装着装置によれば、カセットを本体部に装着し接続部で接続されると、充電部から接続部を介して通知手段に通電がなされ、通知手段が作動する。このためカセットを装着した時点で電気的接続の確認をすることが可能となる。
【発明を実施するための最良の形態】
【００１０】
以下、本発明の実施の形態を図面にしたがって説明する。各図面に共通する要素には同一の符号を付す。図１は本発明の実施の形態に係る紙幣処理装置を示す斜視図である。なお本実施の形態ではカセット装着装置として紙幣処理装置を例にとって説明する。
【００１１】
図１において、紙幣処理装置１は、例えば金融機関に設置される自動取引装置内で紙幣の入出金処理を行う装置である。紙幣処理装置１には紙幣収納部２が引き出し可能に設けられている。紙幣処理装置１には扉３が開閉可能に設けられており、扉３を開けて紙幣収納部２を外部に引き出す。紙幣収納部２は紙幣収納カセット４を収容するもので、この例では３つの紙幣収納カセット４を収容するものとなっている。紙幣収納カセット４を収容した紙幣収納部２を紙幣処理装置１に装着することにより、紙幣の処理が可能となる。紙幣収納カセット４は紙幣収納部２に対して上方から垂直方向に収容される。
【００１２】
紙幣収納部２の側壁２ａ、２ｂにはローラ５（５ａ、５ｂ）、６（６ａ、６ｂ）、７（７ａ、７ｂ）がそれぞれ回転可能に取付けられている。ローラ５、６、７は図２に示すように、側壁２ａ、２ｂの内側にも突出しており、収容される紙幣収納カセット４の外枠に接触するようになっている。したがって紙幣収納カセット４の装着時に装着動作に伴ってローラ５、６、７が回転する。なお図２は実施の形態の紙幣収納部を示す平面図である。また図２に示すように、紙幣収納部２の底部には紙幣収納カセット４との電気的接続をするためのコネクタ８が設けられている。
【００１３】
図３は実施の形態におけるローラの回転機構を示す斜視図である。図３には代表してローラ５ａ、５ｂのみが示されているが、他のローラ６、７も同様の構成である。図３において、ローラ５ａ、５ｂの表面はゴム等の高摩擦部材９で覆われており、紙幣収納カセット４の接触により確実に回転するようになっている。ローラ５ａの軸にはギア１０ａが取付けられ、ローラ５ｂの軸にはギア１０ｂが取付けられ、ギア１０ａとギア１０ｂはアイドルギア１０ｃを介して噛み合っている。またギア１０ｂはアイドルギア１０ｄを介してモータ１１のモータギア１１ａと噛み合っている。したがってローラ５ａまたは５ｂが回転することにより、モータ１１が回転する。モータ１１は発電モータで構成され、回転されることにより発電する。
【００１４】
図１において、紙幣収納カセット４の上部には発光ダイオード（ＬＥＤ）１２が取付けられている。ＬＥＤ１２は紙幣収納カセット４の装着時に操作者の目視容易な位置に設けられればよく、その設置位置は紙幣収納カセット４の上部に限られない。
【００１５】
図４は実施の形態における充電回路図である。図４において、一点鎖線で示す部分２は紙幣収納部を示し、二点差線で示す部分４は紙幣収納カセットを示す。紙幣収納部２側の回路には、発電用モータ１１と並列に充電用コンデンサ１３が接続されている。充電用コンデンサ１３は発電用モータ１１による発電を充電する。また紙幣収納カセット４側の回路にはＬＥＤ１２が接続されている。
【００１６】
紙幣収納部２側の回路に接続されたコネクタ８と紙幣収納カセット４側の回路に接続された図示しないコネクタとによりジャックインコネクタ１４を構成し、紙幣収納部２側の回路と紙幣収納カセット４側の回路は、紙幣収納カセット４の装着時にジャックインコネクタ１４により接続可能であり、正常に接続された場合に充電用コンデンサ１３に充電された電流によりＬＥＤ１２が発光する。なお紙幣収納部２側の回路と紙幣収納カセット４側の回路は、ジャックインコネクタ１４の両端のピンにより接続される。
【００１７】
次に実施の形態の動作を説明する。図１において、紙幣収納部２に紙幣収納カセット４を装着すると、ローラ５ａ、５ｂが回転し、この回転により発電用モータ１１が発電する。この発電により図４に示す充電用コンデンサ１３が充電される。充電用コンデンサ１３への充電はローラ５ａ、５ｂの回転が停止するまで、即ち、紙幣収納カセット４を装着し終わるまで行われる。
【００１８】
紙幣収納カセット４を装着して、図４に示す紙幣収納部２側の回路と紙幣収納カセット４側の回路が電気的に接続されると、充電用コンデンサ１３に充電してあるエネルギーにより紙幣収納カセット４側のＬＥＤ１２が発光する。ＬＥＤ１２は操作者の目視容易な位置に設けられているので、紙幣収納カセット４を装着する操作者に容易に目視され、紙幣収納カセット４が紙幣収納部２に正常に電気的に接続されたことを確認することができる。
【００１９】
紙幣収納カセット４を装着してもＬＥＤ１２が発光しない場合は、紙幣収納部２側の回路と紙幣収納カセット４側の回路が正常に電気的に接続していないので、操作者は、ＬＥＤ１２の非発光により、紙幣収納カセット４と紙幣収納部２との電気的非接続を確認することができ、紙幣収納カセット４の再装着をその場で行うことができる。
【００２０】
以上のように本実施の形態では、紙幣収納カセット４を装着した時点で操作者が紙幣収納部２と紙幣収納カセット４の電気的接続を確認することができ、正常に接続されなかった場合、その場で紙幣収納カセット４を再装着することが可能となる。そのため、従来のように装着の度にイニシャル動作を実施する必要がなく、極めて容易に電気的接続の確認を行なうことができる。
【００２１】
また上記実施の形態では、紙幣収納カセット４の装着は上方から垂直方向に行われるが、紙幣収納カセット４がローラ５ａ、５ｂに接触することにより、紙幣収納カセット４の落下速度が緩和されるので、コネクタ８へのダメージを緩和することができる。
【００２２】
上記実施の形態ではローラ５、６、７及び発電用モータ１１、充電用コンデンサ１３を含む回路を紙幣収納部２に設け、ＬＥＤ１２を紙幣収納カセット４に設ける構成としたが、これと逆に、ローラ５、６、７及び発電用モータ１１、充電用コンデンサ１３を含む回路を紙幣収納カセット４側に設け、ＬＥＤ１２を紙幣収納部２側に設ける構成としてもよい。またＬＥＤ１２の代わりに、例えば、ブザーを設ける構成としてもよい。
【図面の簡単な説明】
【００２３】
【図１】実施の形態に係る紙幣処理機を示す斜視図である。
【図２】実施の形態の紙幣収納部を示す平面図である。
【図３】実施の形態におけるローラの回転機構を示す斜視図である。
【図４】実施の形態における充電回路図である。
【符号の説明】
【００２４】
１  紙幣処理装置
２  紙幣処理部
４  紙幣収納カセット
５、６、７  ローラ
１１  発電用モータ
１２  発光ダイオード
１３  充電用コンデンサ
１４  ジャックインコネクタ
【図１】
2009258929.tif 000003
【図２】
2009258929.tif 000004
【図３】
2009258929.tif 000005
【図４】
2009258929.tif 000006